(57)【要約】【課題】コストアップを抑えながらシステム規模の拡大に柔軟に対応する。【解決手段】複数の照明装置１０１〜１０１０と、複数の人感検知センサ装置２０１〜２０４とが信号線４０により制御装置１にバス接続されている。照明装置１０ｉに付与される固有アドレスとグループアドレスの総数が所定値を越える場合、つまり、照明装置１０８〜１０１０と人感検知センサ装置２０４からなるグループについては照明装置１０８〜１０１０の固有アドレスによってグループ制御情報を管理する。このため、伝送信号Ｓ１…のデータ長を大きくして設定可能なアドレス総数を増やさずとも、実際に設定可能なグループアドレスＧｒ１〜Ｇｒ３の数に限定されることなく、より多くの架空のグループアドレスを設定してグループ制御を行うことが可能となり、コストアップを抑えながらシステム規模の拡大に柔軟に対応できる。【選択図】　　　　図１
2004063161.tif 000002
【特許請求の範囲】
【請求項１】
それぞれ固有アドレスが付与された複数の照明装置と、複数の照明装置を固有アドレスにより識別するとともに各照明装置に対する制御コマンドを生成し、通信媒体を介して照明装置に制御コマンドを送信することにより照明装置の動作を制御する制御装置とを備え、それぞれに１乃至複数の照明装置が属する１乃至複数のグループを識別するためのグループアドレスが照明装置に付与され、同一のグループアドレスが付与された照明装置に同一の動作を行わせるグループ制御の機能を有した照明制御システムにおいて、照明装置に付与される固有アドレスとグループアドレスの総数が所定値を越えない場合と越える場合とでグループ制御のために必要なグループ制御情報の管理方法を変更することを特徴とする照明制御システム。
【請求項２】
通信媒体を介して照明装置並びに制御装置と接続され、照明装置に付与される上記アドレス総数が所定値を越える場合にグループ制御情報を管理する１乃至複数の端末機器を備えたことを特徴とする請求項１記載の照明制御システム。
【請求項３】
照明装置に付与される上記アドレス総数が所定値を越える場合に制御装置がグループ制御情報を管理することを特徴とする請求項１記載の照明制御システム。
【請求項４】
上記端末機器は、照明装置の制御に関わる状況を検知するセンサを具備することを特徴とする請求項２記載の照明制御システム。
【請求項５】
照明装置に付与される上記アドレス総数が所定値を越える場合にグループアドレスの認識方法を変更することを特徴とする請求項１記載の照明制御システム。
【請求項６】
照明装置に付与される上記アドレス総数が所定値を越える場合に所定値を越えるグループアドレスを固有アドレスにより管理することを特徴とする請求項１記載の照明制御システム。
【請求項７】
周囲照度を検出する明るさセンサを具備した明るさセンサ装置と、検知エリア内における人の存否を検知する人感検知センサ装置とを備え、明るさセンサ装置はグループアドレスによりグループ制御情報を管理し、人感検知センサ装置は固有アドレスによりグループ制御情報を管理することを特徴とする請求項６記載の照明制御システム。
【請求項８】
通常時は固有アドレスによるグループ制御情報の管理が行われ、火災等の異常発生時にはグループアドレスによるグループ制御情報の管理が行われることを特徴とする請求項６記載の照明制御システム。
【発明の詳細な説明】
【０００１】
【発明の属する技術分野】
本発明は、複数の照明装置の点滅や調光の制御を行う照明制御システムに関するものである。
【０００２】
【従来の技術】
従来、事務所のように多数の照明装置が設置される空間で個々の照明装置の点滅や調光の制御を行う照明制御システムとして、欧州特許出願０４９０３２９号に提案されている、図１４に示すようなものがある（従来例１）。この照明制御システムは、複数の電子安定器６１と、これらの電子安定器６１が信号線６２でバス接続された集中制御装置６０とで構成され、集中制御装置６０で作成する制御信号を信号線６２を介して個々の電子安定器６１に送信し、制御信号に含まれる制御指令又は照度情報に基づいて電子安定器６１が光源の点滅や調光を行うものである。この従来例１の特徴は、例えば一つの部屋の中に配置された多数の電子安定器６１からなるグループを、同時に又は個別に点滅又は調光制御できることにある。
【０００３】
また他の従来例として、米国特許第５，８６６，９９２号に提案されている、図１５に示すようなものがある（従来例２）。この従来システムは、予め固有アドレスＵ１〜Ｕ５が付与された複数の機器７１と、各機器７１の固有アドレスＵ１〜Ｕ５を記憶する中央制御装置７０とが信号線７２で接続され、中央制御装置７０が配線完了後に各機器７１の固有アドレスＵ１〜Ｕ５を認識して新たに各機器７１に対して動作アドレスＢ１〜Ｂ５を設定し、この動作アドレスＢ１〜Ｂ５を用いて各機器７１の設置場所（Ｒｏｏｍ　Ａ，Ｒｏｏｍ　Ｂ，Ｒｏｏｍ　Ｃ）や機器７１で構成されるグループ内での存在を確認する際に、個々の機器７１を意図的に選択し得るようにしている。
【０００４】
さらに他の従来例として、図１６に示すようなものがある（従来例３）。この従来システムは、複数の照明装置１０と、検知エリア内の人の存在を検知する人感検知センサ装置２０と、操作部３１を具備する操作装置３０と、照明装置１０、人感検知センサ装置２０並びに操作装置３０が信号線４０によりバス接続され、人感検知センサ装置２０の検知結果や操作部３１の操作状況に応じて照明装置１０を制御する制御装置１とを備えている。
【０００５】
照明装置１０は、図１７に示すように信号線４０を介して制御装置１との間で伝送信号の送受信を行う信号送受信部１１と、光源（図示せず）を点灯する点灯回路部１２と、信号送受信部１１で受信した伝送信号に含まれる制御コマンドに応じて点灯回路部１２を制御する制御部１３と、予め与えられる固有アドレスを記憶する記憶部１４と、点灯回路部１２に設けられ、光源の点灯状態を検出する点灯状態検出部１５とを具備する。
【０００６】
人感検知センサ装置２０は、図１８に示すように例えば人体から放射される赤外線を検出することで検知エリア内の人の存在を検知する人体検知部２１と、人体検知部２１による人体検知結果を伝送信号により信号線４０を介して制御装置１に送信する信号送信部２２とを具備する。また操作装置３０は、図１９に示すように押釦スイッチ等からなるスイッチを有する操作部３１と、操作部３１におけるスイッチの操作結果を伝送信号により信号線４０を介して制御装置１に送信する信号送信部３２とを具備する。なお、人感検知センサ装置２０及び操作装置３０にもそれぞれ固有アドレスが予め付与されており、図示しない記憶部に記憶している。
【０００７】
一方、制御装置１は、図２０に示すように信号線４０を介して伝送信号の送受信を行う信号送受信部２と、照明装置１０に対する制御コマンドの生成等を行う制御部３と、複数の照明装置１０、人感検知センサ装置２０並びに操作装置３０に付与されている固有アドレスと各固有アドレスに対応する機器の種類を記憶する記憶部４と、各照明装置１０の点灯状態を表示する点灯状態表示部５とを具備する。
【０００８】
この従来例システムの動作を簡単に説明する。例えば、人感検知センサ装置２０では、人体検知部２１が検知エリア内に人が存在することを検知して人体検知信号を出力すると、信号送信部２２が固有アドレスと人体検知データを含む伝送信号を制御装置１に送信する。制御装置１では、人感検知センサ装置２０から送信された伝送信号を信号送受信部２で受信すると、制御部３が人感検知センサ装置２０の固有アドレスと予め対応付けられた固有アドレスを有する照明装置１０の点灯制御を行うための制御コマンドを生成し、制御対象の照明装置１０の固有アドレスと制御コマンドを含む伝送信号を信号送受信部２より信号線４０に送出させる。制御対象の照明装置１０では、自己の固有アドレスが含まれる伝送信号を信号送受信部１１で受信すると、その伝送信号に含まれる制御コマンドを制御部１３で解釈し、制御部１３が制御コマンドに応じた制御信号を生成して点灯回路部１２に出力することにより、点灯回路部１２が制御信号に応じて光源を点灯、消灯、あるいは調光する。ここで、照明装置１０の点灯制御としては、例えば人感検知センサ装置２０の検知エリア内に人の存在が検知されたときは点灯、一定期間内に人の存在が検知されなければ消灯するような制御方法がある。また、各照明装置１０では、点灯状態検出部１５が光源の故障を検出して故障検出信号を出力すると、故障検出信号を受けた制御部１３が自己の固有アドレスと故障検出データを含む伝送信号を信号送受信部１１から制御装置１に送信する。そして、制御装置１では、上記伝送信号を信号送受信部２で受信すると制御部３が伝送信号に含まれる固有アドレス及び故障検出データを解釈し、光源に故障が生じた照明装置１０の情報を点灯状態表示部５に表示させる。
【０００９】
ここで制御装置１では、受信した伝送信号に含まれる固有アドレスを記憶部４に記憶しているアドレスと照合することにより、伝送信号の送信元が照明装置１０、人感検知センサ装置２０、操作装置３０の何れであるかを制御部３が判断している。図２１は伝送信号の信号フォーマットの一例を示しており、スタートビットＳＴ、アドレスデータビットＡＤ、コマンドデータビットＣＤ、ストップビットＳＰで構成される１０〜３０ビット程度の短いデータ長のものである。
【００１０】
ところで、通常は１台の人感検知センサ装置２０の検知結果に応じて複数の照明装置１０の点灯制御を行う場合が多く、そのために従来例３では、各照明装置１０に固有アドレスとは別にグループアドレスを付与し、同一グループの照明装置１０に割り当てられたグループアドレスと人感検知センサ装置２０の固有アドレスの対応関係を制御装置１の記憶部４に記憶するようにしている。すなわち、人感検知センサ装置２０から人体検出データを受け取った制御装置１では、制御部３が記憶部４を参照して当該人感検知センサ装置２０の固有アドレスに対応するグループアドレスに対して伝送信号により制御コマンドを送信する。そして、同一グループに属する各照明装置１０の制御部１３では、受信した伝送信号に含まれるグループアドレスが記憶部１４に記憶しているグループアドレスと一致していることを確認すると制御コマンドに応じた点灯制御を行うのである。
【００１１】
【発明が解決しようとする課題】
しかしながら、上記従来例３においては、システムの規模が大きくなって信号線４０に接続される機器の台数が増加した場合、伝送信号のデータ長が短いとアドレスデータの数（固有アドレスとグループアドレスの総数）が不足する虞がある。また、アドレスデータの数を増やすために伝送信号のデータ長を大きくすると、制御装置１や照明装置１０などで処理する情報量が増えて負担が大きくなってしまい、情報量の増加に合わせて照明装置１０等の処理能力を高くするとコストが高くなってしまうという欠点がある。さらに、１台の照明装置１０が属し得るグループの数、つまり記憶部１４に記憶可能なグループアドレスの数が記憶部１４の容量によって制限されてしまうという問題もある。
【００１２】
本発明は上記事情に鑑みて為されたものであり、その目的は、コストアップを抑えながらシステム規模の拡大に柔軟に対応することができる照明制御システムを提供することにある。
【００１３】
【課題を解決するための手段】
請求項１の発明は、上記目的を達成するために、それぞれ固有アドレスが付与された複数の照明装置と、複数の照明装置を固有アドレスにより識別するとともに各照明装置に対する制御コマンドを生成し、通信媒体を介して照明装置に制御コマンドを送信することにより照明装置の動作を制御する制御装置とを備え、それぞれに１乃至複数の照明装置が属する１乃至複数のグループを識別するためのグループアドレスが照明装置に付与され、同一のグループアドレスが付与された照明装置に同一の動作を行わせるグループ制御の機能を有した照明制御システムにおいて、照明装置に付与される固有アドレスとグループアドレスの総数が所定値を越えない場合と越える場合とでグループ制御のために必要なグループ制御情報の管理方法を変更することを特徴とする。
【００１４】
請求項２の発明は、請求項１の発明において、通信媒体を介して照明装置並びに制御装置と接続され、照明装置に付与される上記アドレス総数が所定値を越える場合にグループ制御情報を管理する１乃至複数の端末機器を備えたことを特徴とする。
【００１５】
請求項３の発明は、請求項１の発明において、照明装置に付与される上記アドレス総数が所定値を越える場合に制御装置がグループ制御情報を管理することを特徴とする。
【００１６】
請求項４の発明は、請求項２の発明において、上記端末機器は、照明装置の制御に関わる状況を検知するセンサを具備することを特徴とする。
【００１７】
請求項５の発明は、請求項１の発明において、照明装置に付与される上記アドレス総数が所定値を越える場合にグループアドレスの認識方法を変更することを特徴とする。
【００１８】
請求項６の発明は、請求項１の発明において、照明装置に付与される上記アドレス総数が所定値を越える場合に所定値を越えるグループアドレスを固有アドレスにより管理することを特徴とする。
【００１９】
請求項７の発明は、請求項６の発明において、周囲照度を検出する明るさセンサを具備した明るさセンサ装置と、検知エリア内における人の存否を検知する人感検知センサ装置とを備え、明るさセンサ装置はグループアドレスによりグループ制御情報を管理し、人感検知センサ装置は固有アドレスによりグループ制御情報を管理することを特徴とする。
【００２０】
請求項８の発明は、請求項６の発明において、通常時は固有アドレスによるグループ制御情報の管理が行われ、火災等の異常発生時にはグループアドレスによるグループ制御情報の管理が行われることを特徴とする。
【００２１】
【発明の実施の形態】
（実施形態１）
本実施形態は基本的に従来例３と同一の構成要素、すなわち制御装置１、照明装置１０、人感検知センサ装置２０等で構成されており、照明装置１０に付与される固有アドレスとグループアドレスの総数が所定値を越えない場合と越える場合とでグループ制御のために必要なグループ制御情報の管理方法を変更する点に特徴がある。
【００２２】
図１は本実施形態のシステム構成例を示しており、複数の照明装置１０１〜１０１０と、複数の人感検知センサ装置２０１〜２０４とが信号線４０により制御装置１にバス接続されて構成されている。なお、伝送信号のデータ長によって固有アドレスとグループアドレスのアドレス総数の上限が４、つまりグループアドレスのアドレス数の上限が３となっている。また図示は省略しているが、人感検知センサ装置２０ｊ（ｊ＝１，２，３，４）にもグループアドレスが設定可能となっている。
【００２３】
ここで本実施形態においては、３台の照明装置１０１〜１０３と１台の人感検知センサ装置２０１に同一のグループアドレスＧｒ１が付与され、２台の照明装置１０４，１０５と１台の人感検知センサ装置２０２に同一のグループアドレスＧｒ２が付与されるとともに、２台の照明装置１０６，１０７と１台の人感検知センサ装置２０３に同一のグループアドレスＧｒ３が付与され、残り３台の照明装置１０８〜１０１０には別のグループアドレスを付与することができないから固有アドレスのみが付与されている。
【００２４】
まず、グループアドレスＧｒ１〜Ｇｒ３が付与されている３台の人感検知センサ装置２０１〜２０３の何れかにおいて人が検知された場合の動作を説明する。例えば、人感検知センサ装置２０１の人体検知部２１が検知エリア内に人が存在することを検知して人体検知信号を出力すると、図２に示すように自己に付与されているグループアドレスＧｒ１宛に光源を点灯（ＯＮ）させる制御コマンドを含む伝送信号Ｓ１を信号送信部２２から送信する。グループアドレスＧｒ１が付与された照明装置１０１〜１０３では、人感検知センサ装置２０１から送信された伝送信号Ｓ１を信号送受信部１１で受信し、その伝送信号Ｓ１に含まれる制御コマンドを制御部１３で解釈し、制御部１３が制御コマンドに応じた制御信号（光源を点灯する信号）を生成して点灯回路部１２に出力することにより、点灯回路部１２が制御信号に応じて光源を点灯する。これにより、人を検知した人感検知センサ装置２０１と同一グループに属する照明装置１０１〜１０３で光源を点灯させる制御が行われるのである。同様に、人感検知センサ装置２０２で人を検知した場合には人感検知センサ装置２０２から送信される伝送信号Ｓ２により、同一のグループアドレスＧｒ２が付与されている照明装置１０４，１０５の光源が点灯し、人感検知センサ装置２０３で人を検知した場合には人感検知センサ装置２０３から送信される伝送信号Ｓ３により、同一のグループアドレスＧｒ３が付与されている照明装置１０６，１０７の光源が点灯することになる。
【００２５】
而して、従来例３では人感検知センサ装置２０１〜２０３から送信される伝送信号を制御装置１で受信し、制御装置１から各グループに属する照明装置１０１…に対して制御コマンドを含む伝送信号を送信するため、人感検知センサ装置２０１…から制御装置１、制御装置１から照明装置１０１…へ各１回ずつで合計２回の伝送信号の送信が必要であったが、本実施形態においては人感検知センサ装置２０１〜２０３から制御装置１を介さずに照明装置１０１…に直接制御コマンドを含む伝送信号を送信するために信号線４０の輻輳を低減することができる。
【００２６】
次に、グループアドレスが付与されていない人感検知センサ装置２０４で人が検知された場合の動作を説明する。
【００２７】
人感検知センサ装置２０４では、人体検知部２１が検知エリア内に人が存在することを検知して人体検知信号を出力すると、信号送信部２２が架空のグループアドレスＧｒ４と人体検知データを含む伝送信号Ｓ４を信号線４０に送出する。このときグループアドレスＧｒ４が付与された照明装置１０ｉは存在しないから何れの照明装置１０ｉも上記伝送信号Ｓ４を受信せず、制御装置１のみが伝送信号Ｓ４を受信する。制御装置１では、人感検知センサ装置２０４から送信された伝送信号Ｓ４を信号送受信部２で受信すると、制御部３が光源を点灯（ＯＮ）するための制御コマンドを生成し、図３に示すように架空のグループアドレスＧｒ４と予め対応付けられた照明装置１０８〜１０１０の固有アドレス（８又は９又は１０）と上記制御コマンド（ＯＮ）を含む伝送信号Ｖ８，Ｖ９，Ｖ１０を信号送受信部２より信号線４０に順次送出させる。そして、照明装置１０８〜１０１０では、自己の固有アドレスが含まれる伝送信号Ｖ８〜Ｖ１０を信号送受信部１１で受信すると、その伝送信号Ｖ８〜Ｖ１０に含まれる制御コマンドを制御部１３で解釈し、制御部１３が制御コマンドに応じた制御信号（光源を点灯する信号）を生成して点灯回路部１２に出力することにより点灯回路部１２が制御信号に応じて光源を点灯する。このようにして、本来は設定不可能な架空のグループアドレスＧｒ４に対応する照明装置１０８〜１０１０のグループ制御を行うことができるのである。
【００２８】
上述のように本実施形態では、照明装置１０ｉに付与される固有アドレスとグループアドレスの総数が所定値を越えない場合、つまり、照明装置１０１〜１０３と人感検知センサ装置２０１からなるグループ、照明装置１０４，１０５と人感検知センサ装置２０２からなるグループ、照明装置１０６，１０７と人感検知センサ装置２０３からなるグループの合計３つのグループについてはグループアドレスＧｒ１〜Ｇｒ３によってグループ制御のためのグループ制御情報を管理し、照明装置１０ｉに付与される固有アドレスとグループアドレスの総数が所定値を越える場合、つまり、照明装置１０８〜１０１０と人感検知センサ装置２０４からなるグループについては照明装置１０８〜１０１０の固有アドレスによってグループ制御情報を管理するようにしている。このため、伝送信号Ｓ１…のデータ長を大きくして設定可能なアドレス総数を増やさずとも、実際に設定可能なグループアドレスＧｒ１〜Ｇｒ３の数に限定されることなく、より多くの架空のグループアドレスを設定してグループ制御を行うことが可能となり、コストアップを抑えながらシステム規模の拡大に柔軟に対応した、所謂レイアウトフリーの照明制御システムを提供することができる。
【００２９】
（実施形態２）
図４に示すように本実施形態のシステム構成は実施形態１と共通である。本実施形態が実施形態１と異なる点は、架空のグループアドレスＧｒ４に対応する照明装置１０８〜１０１０の固有アドレスを人感検知センサ装置２０４が記憶しており、人を検知したときにグループアドレスＧｒ４宛に伝送信号Ｓ４を送信するのではなく、グループアドレスＧｒ４に対応する固有アドレス宛に光源を点灯する制御コマンドを含む伝送信号Ｓ８，Ｓ９，Ｓ１０を信号線４０に順次送出することにある。つまり、本実施形態においては、照明装置１０ｉに付与されるアドレス総数が所定値を越える場合に端末機器たる人感検知センサ装置２０ｊにてグループ制御情報を管理するのである。
【００３０】
人感検知センサ装置２０４では、人体検知部２１が検知エリア内に人が存在することを検知して人体検知信号を出力すると、信号送信部２２が光源を点灯（ＯＮ）するための制御コマンドを生成し、架空のグループアドレスＧｒ４と予め対応付けられた照明装置１０８〜１０１０の固有アドレスと上記制御コマンド（ＯＮ）を含む伝送信号Ｓ８，Ｓ９，Ｓ１０を信号線４０に順次送出するのである。そして、照明装置１０８〜１０１０では、自己の固有アドレスが含まれる伝送信号Ｓ８〜Ｓ１０を信号送受信部１１で受信すると、その伝送信号Ｓ８〜Ｓ１０に含まれる制御コマンドを制御部１３で解釈し、制御部１３が制御コマンドに応じた制御信号（光源を点灯する信号）を生成して点灯回路部１２に出力することにより点灯回路部１２が制御信号に応じて光源を点灯する。
【００３１】
而して本実施形態によれば、人感検知センサ装置２０４から制御装置１に伝送信号Ｓ４を送信せずに済むから、実施形態１に比較して、３台の照明装置１０８〜１０１０をグループ制御する際の伝送信号Ｓ８〜Ｓ１０の送信回数を減らして信号線４０の輻輳を低減することができる。
【００３２】
（実施形態３）
本実施形態は、照明装置１０ｉに付与されるアドレス総数が所定値を越える場合にグループアドレスの認識方法を変更する点に特徴がある。図５は本実施形態のシステム構成例、図６は照明装置１０ｉ（ｉ＝１，２，…，１０）のブロック図をそれぞれ示しており、照明装置１０ｉの記憶部１４には固有アドレスのアドレス値ｎを格納する記憶領域１４ａと、照明装置１０ｉが属するグループを識別するグループアドレスＧｒ１〜Ｇｒ３用の記憶領域１４ｂ〜１４ｄとが用意され、同時に３つまでのグループアドレスＧｒ１〜Ｇｒ３を設定することができるようになっている。なお、照明装置１０ｉに複数のグループアドレスが付与された場合には、何れのグループアドレス宛の伝送信号によってもグループ制御が行われるが、各グループアドレス宛の伝送信号に含まれる制御コマンド内容が互いに矛盾する場合には、後から受信した伝送信号に含まれる制御コマンドを優先（後優先）して実行する。
【００３３】
図５に示すように、制御装置１には１０台の照明装置１０１〜１０１０と４台の人感検知センサ装置２０１〜２０４とが信号線４０を介して接続され、３台の照明装置１０１〜１０３と１台の人感検知センサ装置２０１が一つのグループ（これを「第１グループ」と呼ぶ）に設定され、２台の照明装置１０４，１０５と１台の人感検知センサ装置２０２が一つのグループ（これを「第２グループ」と呼ぶ）に設定され、２台の照明装置１０６，１０７と１台の人感検知センサ装置２０３が一つのグループ（これを「第３グループ」と呼ぶ）に設定され、さらに３台の照明装置１０８〜１０１０と１台の人感検知センサ装置２０４が一つのグループ（これを「第４グループ」と呼ぶ）に設定されている。そして、第１グループの照明装置１０１〜１０３及び人感検知センサ装置２０１にはグループアドレスＧｒ１が付与され、第２グループの照明装置１０４，１０５及び人感検知センサ装置２０２にはグループアドレスＧｒ２が付与されている。一方、第３グループの照明装置１０６，１０７及び人感検知センサ装置２０３には２つのグループアドレスＧｒ３，Ｇｒ１が付与され、第４グループの照明装置１０８〜１０１０及び人感検知センサ装置２０４にも２つのグループアドレスＧｒ３，Ｇｒ２が付与されている。
【００３４】
ここで、一つのグループアドレスのみが付与されている第１グループ及び第２グループのグループ制御の動作は実施形態１（あるいは実施形態２）と同様であるから説明を省略し、二つのグループアドレスが付与されている第３グループ及び第４グループのグループ制御の動作について説明する。
【００３５】
例えば、第３グループに属する人感検知センサ装置２０３の人体検知部２１が検知エリア内に人が存在することを検知して人体検知信号を出力すると、信号送信部２２が光源を点灯（ＯＮ）するための制御コマンドを生成し、図７に示すように自己に付与されている一方のグループアドレスＧｒ３宛に制御コマンド（ＯＮ）を含む伝送信号Ｓ３ａを信号線４０に送出した後、所定時間Ｔ１が経過する前に自己の付与されている他方のグループアドレスＧｒ１宛に制御コマンドを含む伝送信号Ｓ３ｂを信号線４０に送出する。第３グループに属する照明装置１０６，１０７では、人感検知センサ装置２０３から送信された１番目の伝送信号Ｓ３ａを信号送受信部１１で受信した後に所定時間Ｔ１だけ待機し、その時間Ｔ１内に２番目の伝送信号Ｓ３ｂを受信すれば、伝送信号Ｓ３ａ（Ｓ３ｂ）に含まれる制御コマンドを制御部１３で解釈し、制御部１３が制御コマンドに応じた制御信号（光源を点灯する信号）を生成して点灯回路部１２に出力することにより、点灯回路部１２が制御信号に応じて光源を点灯する。しかしながら、上記時間Ｔ１内に２番目の伝送信号Ｓ３ｂを受信しなければ、第３グループに属する照明装置１０６，１０７の制御部１３は制御コマンドを無視して何ら制御動作を行わない。この場合、第１グループに属する照明装置１０１〜１０３が伝送信号Ｓ３ｂを受信し、制御コマンドに応じて光源を点灯することになる。
【００３６】
また、第４グループに属する人感検知センサ装置２０４の人体検知部２１が検知エリア内に人が存在することを検知して人体検知信号を出力すると、信号送信部２２が光源を点灯（ＯＮ）するための制御コマンドを生成し、図８に示すように自己に付与されている一方のグループアドレスＧｒ３宛に制御コマンド（ＯＮ）を含む伝送信号Ｓ４ａを信号線４０に送出した後、所定時間Ｔ１が経過する前に自己の付与されている他方のグループアドレスＧｒ２宛に制御コマンドを含む伝送信号Ｓ４ｂを信号線４０に送出する。第４グループに属する照明装置１０７〜１０１０では、人感検知センサ装置２０４から送信された１番目の伝送信号Ｓ４ａを信号送受信部１１で受信した後に所定時間Ｔ１だけ待機し、その時間Ｔ１内に２番目の伝送信号Ｓ４ｂを受信すれば、伝送信号Ｓ４ａ（Ｓ４ｂ）に含まれる制御コマンドを制御部１３で解釈し、制御部１３が制御コマンドに応じた制御信号（光源を点灯する信号）を生成して点灯回路部１２に出力することにより、点灯回路部１２が制御信号に応じて光源を点灯する。しかしながら、上記時間Ｔ１内に２番目の伝送信号Ｓ４ｂを受信しなければ、第４グループに属する照明装置１０８〜１０１０の制御部１３は制御コマンドを無視して何ら制御動作を行わない。この場合、第２グループに属する照明装置１０４，１０５が伝送信号Ｓ４ｂを受信し、制御コマンドに応じて光源を点灯することになる。
【００３７】
上述のように本実施形態においては、第１グループ及び第２グループについては、グループアドレスＧｒ１，Ｇｒ２をそのまま各グループに対するアドレスとして認識し、第３グループ及び第４グループについては、グループアドレスＧｒ３と他のグループアドレスＧｒ１又はＧｒ２の組み合わせを各々のグループに対するアドレスとして認識するようにしているから、照明装置１０ｉの記憶部１４の容量を増やすことなく、規定数（本実施形態では３つ）を越える数のグループを設定してグループ制御を行うことができ、コストダウンを図りつつ設計の自由度が高い照明制御システムを提供することができる。
【００３８】
（実施形態４）
本実施形態は、図９に示すように制御装置１に１０台の照明装置１０１〜１０１０と２台の人感検知センサ装置２０１，２０２と、１台の照度検知センサ装置５０とが信号線４０を介して接続され、６台の照明装置１０１〜１０３，１０８〜１０１０と１台の照度検知センサ装置５０が一つのグループ（これを「第１グループ」と呼ぶ）に設定され、２台の照明装置１０４，１０５と１台の人感検知センサ装置２０１が一つのグループ（これを「第２グループ」と呼ぶ）に設定され、２台の照明装置１０６，１０７と１台の人感検知センサ装置２０２が一つのグループ（これを「第３グループ」と呼ぶ）に設定されている。そして、第１グループの照明装置１０１〜１０３，１０８〜１０１０及び照度検知センサ装置５０にはグループアドレスＧｒ１が付与され、第２グループ及び第３グループの照明装置１０４〜１０７にはグループアドレスが付与されていない。
【００３９】
照度検知センサ装置５０は、図１０に示すように光電変換素子等を有し周囲の照度を検知するとともに周囲照度が所定のしきい値を下回ったときに照度低下信号を出力する照度検知部５１と、照度検知部５１から照度低下信号が出力されたときに照明装置１０ｉに対して光源を点灯あるいは光出力を増大する制御コマンドを生成し、生成した制御コマンドを伝送信号により信号線４０を介して自己に付与されたグループアドレス宛に送信する信号送信部５２とを具備している。
【００４０】
ここで、人感検知センサ装置２０１，２０２が属する第２グループ及び第３グループのグループ制御の動作は実施形態２と同様であるから説明を省略し、照度検知センサ装置５０が属する第１グループのグループ制御動作について説明する。
【００４１】
照度検知センサ装置５０の照度検知部５１が照度低下信号を出力すると、信号送信部５２が光源の光出力を増大するための制御コマンドを生成し、自己に付与されているグループアドレスＧｒ１宛に上記制御コマンドを含む伝送信号Ｓ５を信号線４０に送出する。第１グループに属する照明装置１０１〜１０３，１０８〜１０１０では、照度検知センサ装置５０から送信された伝送信号Ｓ５を信号送受信部１１で受信すれば、伝送信号Ｓ５に含まれる制御コマンドを制御部１３で解釈し、制御部１３が制御コマンドに応じた制御信号（光源の光出力を増大する信号）を生成して点灯回路部１２に出力することにより、点灯回路部１２が制御信号に応じて光源の光出力を増大する。
【００４２】
通常、照度検知センサ装置５０を含むグループではグループに属する照明装置１０ｉの台数が比較的に多くなるがシステム上のグループ数は比較的に少なくなる。これに対して人感検知センサ装置２０ｊを含むグループではグループに属する照明装置１０ｉの台数が比較的に少なく、反対にシステム上のグループ数は比較的に多くなる傾向にある。したがって、グループアドレスの総数が制限されているシステムでは人感検知センサ装置２０ｊを多用するとグループアドレスが不足しがちになる。
【００４３】
しかしながら本実施形態では、照度検知センサ装置５０を含むグループ（第１グループ）に対してはグループアドレスＧｒ１によりグループ制御を行い、人感検知センサ装置２０ｉを含むグループ（第２及び第３グループ）に対しては固有アドレスを使ってグループ制御を行うようにしているから、グループアドレスを有効に利用することができ、見かけ上のグループ総数を増加して設計の自由度を高めることができる。
【００４４】
（実施形態５）
本実施形態は、図１１に示すように制御装置１に１０台の照明装置１０１〜１０１０と３台の人感検知センサ装置２０１〜２０３とが信号線４０を介して接続され、５台の照明装置１０１〜１０５と１台の人感検知センサ装置２０１が一つのグループ（これを「第１グループ」と呼ぶ）に設定され、５台の照明装置１０４，１０５，１０８〜１０１０と１台の人感検知センサ装置２０２が一つのグループ（これを「第２グループ」と呼ぶ）に設定され、２台の照明装置１０６，１０７と１台の人感検知センサ装置２０３が一つのグループ（これを「第３グループ」と呼ぶ）に設定されている。そして、第１グループの照明装置１０１〜１０３及び人感検知センサ装置２０１にはグループアドレスＧｒ１が付与され、第２グループの照明装置１０８〜１０１０及び人感センサ装置２０２にはグループアドレスＧｒ２が付与され、さらに第３グループの照明装置１０６，１０７及び人感検知センサ装置２０２にはグループアドレスＧｒ３が付与されている。但し、第１及び第２グループの両方に属する照明装置１０４，１０５にはグループアドレスが付与されておらず、これらの照明装置１０４，１０５が属する第１及び第２グループの各人感検知センサ装置２０１，２０２に各照明装置１０４，１０５の固有アドレスを記憶させている。
【００４５】
すなわち、第１グループと第２グループの両方に属する照明装置１０４，１０５にグループアドレスＧｒ１，Ｇｒ２を付与した場合、実施形態３で説明したように照明装置１０４，１０５では制御コマンドが後優先で処理されるので、例えば、第１グループの人感検知センサ装置２０１による人体検知結果に基づいて照明装置１０４，１０５が光源を点灯した後、直ちに第２グループの人感検知センサ装置２０２からの制御コマンドにより照明装置１０４，１０５が光源を消灯してしまうことがある。このような現象を回避するためには、２台の照明装置１０４，１０５を別のグループに設定して別途グループアドレスを付与すればよいが、グループアドレスの総数が３つに限定されているからグループアドレスを付与することができない。よって、本実施形態においては、２つのグループに属する照明装置１０４，１０５に対してはグループアドレスを付与せず、固有アドレスを用いてグループ制御を行うようにしている。
【００４６】
例えば、第１グループに属する人感検知センサ装置２０１の人体検知部２１が検知エリア内に人が存在することを検知して人体検知信号を出力すると、信号送信部２２が光源を点灯するための制御コマンドを生成し、自己に付与されているグループアドレスＧｒ１宛に上記制御コマンドを含む伝送信号Ｓ１を信号線４０に送出する。第１グループのみに属する照明装置１０１〜１０３では、人感検知センサ装置２０１から送信された伝送信号Ｓ１を信号送受信部１１で受信すれば、伝送信号Ｓ１に含まれる制御コマンドを制御部１３で解釈し、制御部１３が制御コマンドに応じた制御信号（光源を点灯する信号）を生成して点灯回路部１２に出力することにより、点灯回路部１２が制御信号に応じて光源を点灯する。これに対して第１及び第２グループに属する照明装置１０４，１０５については、上記伝送信号Ｓ１を受信した制御装置１から各照明装置１０４，１０５の固有アドレス宛に上記制御コマンドを含む制御信号Ｖ１が送信され、この制御信号Ｖ１を受信することで照明装置１０４，１０５において光源が点灯することになる。なお、制御装置１では制御信号Ｖ１を送信した人感検知センサ装置２０１を記憶している。
【００４７】
また、第２グループに属する人感検知センサ装置２０２の人体検知部２１が検知エリア内に人が存在することを検知して人体検知信号を出力すると、信号送信部２２が光源を点灯するための制御コマンドを生成し、自己に付与されているグループアドレスＧｒ２宛に上記制御コマンドを含む伝送信号Ｓ２を信号線４０に送出する。第２グループのみに属する照明装置１０８〜１０１０では、人感検知センサ装置２０２から送信された伝送信号Ｓ２を信号送受信部１１で受信すると、伝送信号Ｓ２に含まれる制御コマンドを制御部１３で解釈し、制御部１３が制御コマンドに応じた制御信号（光源を点灯する信号）を生成して点灯回路部１２に出力することにより、点灯回路部１２が制御信号に応じて光源を点灯する。これに対して第１及び第２グループに属する照明装置１０４，１０５については、上記伝送信号Ｓ２を受信した制御装置１から各照明装置１０４，１０５の固有アドレス宛に上記制御コマンドを含む制御信号Ｖ２が送信され、この制御信号Ｖ２を受信することで照明装置１０４，１０５において光源を点灯する処理が行われることになる。なお、制御装置１では伝送信号Ｓ２を送信した人感検知センサ装置２０２を記憶している。
【００４８】
そして、第１グループに属する人感検知センサ装置２０１の人体検知部２１が所定時間以上検知エリア内に人の存在を検知しなくなると、信号送信部２２が光源を消灯するための制御コマンドを生成し、自己に付与されているグループアドレスＧｒ１宛に上記制御コマンドを含む伝送信号Ｓ１’を送信する。すると第１グループのみに属する照明装置１０１〜１０３では、人感検知センサ装置２０１から送信された伝送信号Ｓ１’を信号送受信部１１で受信すると、伝送信号Ｓ１’に含まれる制御コマンドを制御部１３で解釈し、制御部１３が制御コマンドに応じた制御信号（光源を消灯する信号）を生成して点灯回路部１２に出力することにより、点灯回路部１２が制御信号に応じて光源を消灯する。このとき、制御装置１でも伝送信号Ｓ１’を受信するが、２つのグループに属する照明装置１０４，１０５については最後に受信した伝送信号Ｓ２の送信元を記憶しており、この最後の送信元と上記伝送信号Ｓ１’の送信元とが一致しないことから、上記制御コマンドを含む伝送信号を送出しない。よって、照明装置１０４，１０５では光源を消灯せずに点灯したままとなる。
【００４９】
一方、第２グループに属する人感検知センサ装置２０２の人体検知部２１が所定時間以上検知エリア内に人の存在を検知しなくなると、信号送信部２２が光源を消灯するための制御コマンドを生成し、自己に付与されているグループアドレスＧｒ２宛に上記制御コマンドを含む伝送信号Ｓ２’を送信する。すると、第２グループのみに属する照明装置１０８〜１０１０では、人感検知センサ装置２０２から送信された伝送信号Ｓ２’を信号送受信部１１で受信し、伝送信号Ｓ２’に含まれる制御コマンドを制御部１３で解釈し、制御部１３が制御コマンドに応じた制御信号（光源を消灯する信号）を生成して点灯回路部１２に出力することにより、点灯回路部１２が制御信号に応じて光源を消灯する。このとき、制御装置１では第２グループに属する照明装置１０４，１０５について、最後の送信元と上記伝送信号Ｓ２’の送信元とが一致することから、上記制御コマンドを含む伝送信号Ｖ２を照明装置１０４，１０５の固有アドレス宛に順次送信し、その結果、照明装置１０４，１０５の光源が消灯することになる。
【００５０】
このように本実施形態では、複数のグループに属する照明装置１０４，１０５があってもそれらの照明装置１０４，１０５に別途グループアドレスを付与する必要が無く、グループアドレスの規定数に制限されることなく、自由度の高いグループ制御を行うことができる。
【００５１】
（実施形態６）
本実施形態は、図１２に示すように制御装置１に５台の照明装置１０１〜１０５と２台の人感検知センサ装置２０１，２０２とが信号線４０を介して接続され、３台の照明装置１０１〜１０３と１台の人感検知センサ装置２０１が一つのグループ（これを「第１グループ」と呼ぶ）に設定され、２台の照明装置１０４，１０５と１台の人感検知センサ装置２０２が一つのグループ（これを「第２グループ」と呼ぶ）に設定されている。また、全ての照明装置１０１〜１０５に対してグループアドレスＧｒ１が付与されている。ここで、第１グループ及び第２グループのグループ制御情報、つまり、第１グループに属する照明装置１０１〜１０３並びに人感検知センサ装置２０１の固有アドレスと第２グループに属する照明装置１０４，１０５並びに人感検知センサ装置２０２の固有アドレスを制御装置１の記憶部４に記憶している。
【００５２】
したがって、第１グループに属する人感検知センサ装置２０１から固有アドレスと人体検知データを含む伝送信号Ｓ１を受信した制御装置１では、制御部３が人感検知センサ装置２０１の固有アドレスと同一グループに対応付けられた固有アドレスを有する照明装置１０１〜１０３の点灯制御を行うための制御コマンドを生成し、第１グループの照明装置１０１〜１０３の固有アドレス宛に上記制御コマンドを含む伝送信号Ｖ１を順次送信する。同じく、第２グループに属する人感検知センサ装置２０２から固有アドレスと人体検知データを含む伝送信号Ｓ２を受信した制御装置１では、制御部３が人感検知センサ装置２０２の固有アドレスと同一グループに対応付けられた固有アドレスを有する照明装置１０４，１０５の点灯制御を行うための制御コマンドを生成し、第２グループの照明装置１０４，１０５の固有アドレス宛に上記制御コマンドを含む伝送信号Ｖ２を順次送信する。一方、伝送信号Ｖ１，Ｖ２を受信した照明装置１０ｉでは制御コマンドを解釈して光源を点灯させるのである。
【００５３】
このように全ての伝送信号Ｓ１…が制御装置１を経由してやり取りされることから、人感検知センサ装置２０１，２０２による人の存在検知から照明装置１０ｉの光源が点灯するまでに多少の時間遅れが発生するが、この時間遅れは照明装置１０ｉの用途が通常時の照明であれば特に問題にならない程度である。
【００５４】
ここで、本実施形態の照明装置１０ｉのうちで１台の照明装置１０５が、煙や熱を検知して火災の発生を報知する火災報知器を内蔵した非常灯であって、火災報知器の発報を伝送信号により制御装置１に送信するようになっている。なお、火災報知器の詳細については従来周知であるから説明を省略する。
【００５５】
而して、照明装置１０５では、内蔵の火災報知器から発報を受けた制御部１３が火災発報の伝送信号ＳＥを制御装置１に送信する。この伝送信号ＳＥを受信した制御装置１では、火災発生を報知する目的で制御部３が他の照明装置１０１〜１０４の照度を変更する制御コマンドを生成し、グループアドレスＧｒ１宛に上記制御コマンドを含む伝送信号ＶＥを送信させる（図１３参照）。但し、伝送信号ＶＥを確実に伝送するために制御装置１から伝送信号ＶＥを数回送信するようにしている。そして、この伝送信号ＶＥを受信した各照明装置１０１〜１０４が光源の光出力を変化させて照度を変更させることにより、照明装置１０１〜１０４が設置されている居室等に居る人に火災発生を報知することができる。
【００５６】
このように本実施形態においては、通常時は固有アドレスによるグループ制御情報の管理を行い、信頼性とスピードが要求される火災等の異常発生時にはグループアドレスＧｒ１によるグループ制御情報の管理を行うようにしているので、異常発生時に照明装置１０１〜１０４のグループ制御に時間遅れが生じることが無く、信頼性の高いシステムが構築できる。
【００５７】
【発明の効果】
請求項１の発明は、それぞれ固有アドレスが付与された複数の照明装置と、複数の照明装置を固有アドレスにより識別するとともに各照明装置に対する制御コマンドを生成し、通信媒体を介して照明装置に制御コマンドを送信することにより照明装置の動作を制御する制御装置とを備え、それぞれに１乃至複数の照明装置が属する１乃至複数のグループを識別するためのグループアドレスが照明装置に付与され、同一のグループアドレスが付与された照明装置に同一の動作を行わせるグループ制御の機能を有した照明制御システムにおいて、照明装置に付与される固有アドレスとグループアドレスの総数が所定値を越えない場合と越える場合とでグループ制御のために必要なグループ制御情報の管理方法を変更することを特徴とし、固有アドレスや制御コマンドを送信するための信号のデータ長を大きくして設定可能なアドレス総数を増やさずとも、実際に設定可能なグループアドレスの数に限定されることなく、より多くのグループを設定してグループ制御を行うことが可能となり、コストアップを抑えながらシステム規模の拡大に柔軟に対応することができる。
【００５８】
請求項２の発明は、請求項１の発明において、通信媒体を介して照明装置並びに制御装置と接続され、照明装置に付与される上記アドレス総数が所定値を越える場合にグループ制御情報を管理する１乃至複数の端末機器を備えたことを特徴とし、制御装置を介さずに照明装置に直接制御コマンドを送信することで信号線の輻輳を低減することができる。
【００５９】
請求項３の発明は、請求項１の発明において、照明装置に付与される上記アドレス総数が所定値を越える場合に制御装置がグループ制御情報を管理することを特徴とし、請求項１の発明と同様の効果を奏する。
【００６０】
請求項４の発明は、請求項２の発明において、上記端末機器は、照明装置の制御に関わる状況を検知するセンサを具備することを特徴とし、請求項２の発明と同様の効果を奏する。
【００６１】
請求項５の発明は、請求項１の発明において、照明装置に付与される上記アドレス総数が所定値を越える場合にグループアドレスの認識方法を変更することを特徴とし、照明装置におけるアドレスの記憶容量を増やすことなしに規定数を越える数のグループを設定してグループ制御を行うことができ、コストダウンを図りつつ設計の自由度が高い照明制御システムを提供することができる。
【００６２】
請求項６の発明は、請求項１の発明において、照明装置に付与される上記アドレス総数が所定値を越える場合に所定値を越えるグループアドレスを固有アドレスにより管理することを特徴とし、同一のグループに属する照明装置の固有アドレスを記憶しておき、グループ制御の際にこれらの固有アドレス宛に制御コマンドを送信することで実際に設定可能なグループアドレスの数に限定されることなく、より多くのグループを設定してグループ制御を行うことが可能となる。
【００６３】
請求項７の発明は、請求項６の発明において、周囲照度を検出する明るさセンサを具備した明るさセンサ装置と、検知エリア内における人の存否を検知する人感検知センサ装置とを備え、明るさセンサ装置はグループアドレスによりグループ制御情報を管理し、人感検知センサ装置は固有アドレスによりグループ制御情報を管理することを特徴とし、人感検知センサ装置を多用した場合にグループアドレスが不足するのを防ぎ、グループアドレスを有効に利用することができるとともに、見かけ上のグループ総数を増加して設計の自由度を高めることができる。
【００６４】
請求項８の発明は、請求項６の発明において、通常時は固有アドレスによるグループ制御情報の管理が行われ、火災等の異常発生時にはグループアドレスによるグループ制御情報の管理が行われることを特徴とし、グループアドレスを使って一斉に制御コマンドを送信することで異常発生時におけるグループ制御に時間遅れが生じることが無く、信頼性の向上が図れる。
【図面の簡単な説明】
【図１】実施形態１を示すシステム構成図である。
【図２】同上における伝送信号の信号フォーマットである。
【図３】同上における伝送信号の信号フォーマットである。
【図４】実施形態２を示すシステム構成図である。
【図５】実施形態３を示すシステム構成図である。
【図６】同上における照明装置のブロック図である。
【図７】同上の動作説明用のタイムチャートである。
【図８】同上の動作説明用のタイムチャートである。
【図９】実施形態４を示すシステム構成図である。
【図１０】同上における照度検知センサ装置のブロック図である。
【図１１】実施形態５を示すシステム構成図である。
【図１２】実施形態６を示すシステム構成図である。
【図１３】同上の動作説明図である。
【図１４】従来例１を示すシステム構成図である。
【図１５】従来例２を示すシステム構成図である。
【図１６】従来例３を示すシステム構成図である。
【図１７】同上における照明装置のブロック図である。
【図１８】同上における人感検知センサ装置のブロック図である。
【図１９】同上における操作装置のブロック図である。
【図２０】同上における制御装置のブロック図である。
【図２１】同上における伝送信号の信号フォーマットである。
【符号の説明】
１　制御装置
１０１〜１０１０　照明装置
２０１〜２０４　人感検知センサ装置
４０　信号線
【図１】
2004063161.tif 000003
【図２】
2004063161.tif 000004
【図３】
2004063161.tif 000005
【図４】
2004063161.tif 000006
【図５】
2004063161.tif 000007
【図６】
2004063161.tif 000008
【図７】
2004063161.tif 000009
【図８】
2004063161.tif 000010
【図９】
2004063161.tif 000011
【図１０】
2004063161.tif 000012
【図１１】
2004063161.tif 000013
【図１２】
2004063161.tif 000014
【図１３】
2004063161.tif 000015
【図１４】
2004063161.tif 000016
【図１５】
2004063161.tif 000017
【図１６】
2004063161.tif 000018
【図１７】
2004063161.tif 000019
【図１８】
2004063161.tif 000020
【図１９】
2004063161.tif 000021
【図２０】
2004063161.tif 000022
【図２１】
2004063161.tif 000023